(57)【要約】【課題】青色可視光の強度を状況に適合した強度に調整することを簡易な構成で実現する。【解決手段】紫外線センサ２２は、紫外線波長域及び紫外線波長域に隣接する青色可視光波長域に感度を有する。取得部２４は、紫外線センサ２２に入射される紫外線の強度が基準値未満になる低強度時間帯に、紫外線センサ２２により測定された青色可視光の強度を取得する。調整部２６は、低強度時間帯に、取得部２４により取得された青色可視光の強度と閾値との比較結果に基づいて、紫外線センサ２２に入射される青色可視光を発する特定光源から発せられる青色可視光の強度を調整する。【選択図】図１
2014203813.tif 000002
【特許請求の範囲】
【請求項１】
紫外線波長域及び前記紫外線波長域に隣接する青色可視光波長域に感度を有する紫外線センサと、
前記紫外線センサに入射される紫外線の強度が基準値未満になる低強度時間帯に、前記紫外線センサにより測定された青色可視光の強度を取得する取得部と、
前記低強度時間帯に、前記取得部により取得された青色可視光の強度と閾値との比較結果に基づいて、前記紫外線センサに入射される青色可視光を発する特定光源から発せられる青色可視光の強度を調整する調整部と、
を含む調光装置。
【請求項２】
前記調整部は、前記低強度時間帯に、前記取得部により取得された青色可視光の強度が前記閾値以上の場合に、前記特定光源から発せられる青色可視光の強度を前記閾値未満に低下させる請求項１に記載の調光装置。
【請求項３】
前記低強度時間帯において被検者の入眠を検知する入眠検知部と、
前記低強度時間帯において前記入眠検知部により入眠が検知された入眠時刻を日単位で記憶する記憶部と、
前記入眠検知部により本日の入眠が検知された入眠時刻と前記記憶部に記憶されている過去の日の入眠時刻との比較結果に基づいて前記閾値を変更する変更部と、を更に含む請求項２に記載の調光装置。
【請求項４】
前記変更部は、過去の特定日に前記閾値を変更した場合に、前記過去の特定日の前記閾値の変更量、及び、前記入眠検知部により本日の入眠が検知された入眠時刻と前記記憶部に記憶されている前記過去の特定日の入眠時刻との比較結果に基づいて前記閾値を変更する請求項３に記載の調光装置。
【請求項５】
前記変更部は、前記過去の特定日に前記閾値を上げ、且つ、前記入眠検知部により本日の入眠が検知された入眠時刻が前記記憶部に記憶されている前記過去の特定日の入眠時刻よりも遅い場合に、前記閾値を下げる請求項４に記載の調光装置。
【請求項６】
前記変更部は、前記過去の特定日に前記閾値を下げ、且つ、前記入眠検知部により本日の入眠が検知された入眠時刻が前記記憶部に記憶されている前記過去の特定日の入眠時刻よりも早い場合に、前記閾値を上げる請求項４又は請求項５に記載の調光装置。
【請求項７】
前記変更部は、前記過去の特定日に前記閾値を変えず、且つ、前記入眠検知部により本日の入眠が検知された入眠時刻が前記記憶部に記憶されている前記過去の特定日の入眠時刻よりも遅い場合に、前記閾値を下げる請求項４から請求項６の何れか１項に記載の調光装置。
【請求項８】
前記変更部は、前記過去の特定日に前記閾値を変えず、且つ、前記入眠検知部により本日の入眠が検知された入眠時刻が前記記憶部に記憶されている前記過去の特定日の入眠時刻よりも早い場合に、前記閾値を上げる請求項４から請求項７の何れか１項に記載の調光装置。
【請求項９】
前記紫外線センサの測定面の向きを検出する検出部を更に含み、
前記特定光源は、前記検出部により検出された前記測定面の向きに基づいて定まる測定面対向領域に存在する光源のうち青色可視光を発する予め定められた光源を有する請求項１から請求項８の何れか１項に記載の調光装置。
【請求項１０】
前記特定光源は、前記測定面が上向きの場合に前記測定面と対向する領域に設置された第１特定光源と、前記測定面が横向きの場合に前記測定面と対向する領域に設置された第２特定光源と、を有し、
前記調整部は、前記低強度時間帯に、前記取得部により取得された青色可視光の強度と閾値との比較結果に基づいて、前記検出部により上向きが検出された場合に前記第１特定光源から発せられる青色可視光の強度を調整し、前記検出部により横向きが検出された場合に前記第２特定光源から発せられる青色可視光の強度を調整する請求項９に記載の調光装置。
【請求項１１】
請求項１から請求項１０の何れか１項に記載の調光装置と、
前記調整部により強度が調整される青色可視光を発する特定光源と、
を含む端末装置。
【請求項１２】
請求項１から請求項１０の何れか１項に記載の調光装置と、
前記調整部により強度が調整される青色可視光を発する特定光源と、
を含む調光システム。
【請求項１３】
紫外線波長域及び前記紫外線波長域に隣接する青色可視光波長域に感度を有する紫外線センサに入射される紫外線の強度が基準値未満になる低強度時間帯に、前記紫外線センサにより測定された青色可視光の強度を取得し、
前記低強度時間帯に、取得した青色可視光の強度と閾値との比較結果に基づいて、前記紫外線センサに入射される青色可視光を発する特定光源から発せられる青色可視光の強度を調整する
ことを含む調光方法。
【請求項１４】
コンピュータに、
紫外線波長域及び前記紫外線波長域に隣接する青色可視光波長域に感度を有する紫外線センサに入射される紫外線の強度が基準値未満になる低強度時間帯に、前記紫外線センサにより測定された青色可視光の強度を取得し、
前記低強度時間帯に、取得した青色可視光の強度と閾値との比較結果に基づいて、前記紫外線センサに入射される青色可視光を発する特定光源から発せられる青色可視光の強度を調整する
ことを含む処理を実行させるための調光プログラム。
【発明の詳細な説明】
【技術分野】
【０００１】
開示の技術は、調光装置、端末装置、調光システム、調光方法及び調光プログラムに関する。
【背景技術】
【０００２】
所謂ブルーライトと呼ばれる青色可視光（例えば３８０ｎｍ以上４９５ｎｍ以下の波長域の可視光）は、人間の交感神経の活動を活発化させて人間を興奮状態にすることが知られている。また、人間は、就寝前に青色可視光を所定時間以上視認し続けることが原因で、入眠が妨げられることも知られており、速やかな入眠のためには、就寝前に青色可視光を長時間視認しないことが好ましいという認識が広まっている。
【０００３】
このような事情に鑑み、所定時刻以降に特定光源から発せられる光の強度を低下させる技術が提案されている。この技術を応用して、所定時刻以降に特定光源から発せられる青色可視光の強度を低下させれば、就寝前に青色可視光を視認することによる入眠の妨げを抑制する効果が期待できる。
【先行技術文献】
【特許文献】
【０００４】
【特許文献１】特開２００６−２５２９４４号公報
【発明の概要】
【発明が解決しようとする課題】
【０００５】
しかしながら、照明器具やディスプレイ（例えば液晶ディスプレイ）から発せられる青色可視光の強度を低下させると、照明器具の光源の色合いやディスプレイの色合いが必要以上に損なわれる虞がある。照明器具の光源の色合いやディスプレイの色合いを必要以上に損なわないようにするためには、青色可視光の強度を高精度に測定することが好ましい。しかし、青色可視光を測定するための測定器を新たに設置することは、手間がかかる上、コストの増大に繋がる。
【０００６】
開示の技術は、青色可視光の強度を状況に適合した強度に調整することを簡易な構成で実現することが目的である。
【課題を解決するための手段】
【０００７】
開示の技術において、紫外線センサは、紫外線波長域及び紫外線波長域に隣接する青色可視光波長域に感度を有する。取得部は、紫外線センサに入射される紫外線の強度が基準値未満になる低強度時間帯に、紫外線センサにより測定された青色可視光の強度を取得する。調整部は、低強度時間帯に、取得部により取得された青色可視光の強度と閾値との比較結果に基づいて、紫外線センサに入射される青色可視光を発する特定光源から発せられる青色可視光の強度を調整する。
【発明の効果】
【０００８】
開示の技術は、１つの側面として、青色可視光の強度を状況に適合した強度に調整することを簡易な構成で実現することができる、という効果を有する。
【図面の簡単な説明】
【０００９】
【図１】実施形態に係る調光システムの要部機能の一例を示す機能ブロック図である。
【図２】実施形態に係るスマートデバイスに含まれる紫外線センサの測定対象波長域の内訳の一例を示すグラフである。
【図３】実施形態に係るスマートデバイスの外観の一例を示す概略斜視図である。
【図４】実施形態に係るスマートデバイスの電気系の構成の一例を示すブロック図である。
【図５】実施形態に係るスマートデバイスで用いられる入眠関連情報テーブルの構成の一例を示す模式図である。
【図６】実施形態に係るスマートデバイスで用いられる閾値変更テーブルの構成の一例を示す模式図である。
【図７】実施形態に係る入眠検知処理の流れの一例を示すフローチャートである。
【図８】実施形態に係る調光処理の流れの一例を示すフローチャートである。
【図９】実施形態に係る閾値変更処理の流れの一例を示すフローチャートである。
【図１０】実施形態に係るスマートデバイスに含まれる紫外線センサの測定面が上向きの場合のスマートデバイスの外観の一例を示す概略斜視図である。
【図１１】実施形態に係るスマートデバイスに含まれる紫外線センサの測定面が横向きの場合のスマートデバイスの外観を示す概略斜視図である。
【発明を実施するための形態】
【００１０】
以下、図面を参照して開示の技術の実施形態の一例を詳細に説明する。なお、以下の説明では、端末装置の一例としてスマートデバイスを例に挙げて説明するが、開示の技術は、これに限定されるものではない。開示の技術は、例えば、パーソナル・コンピュータ、ゲーム機、カーナビゲーション装置、携帯電話機などの種々の端末装置に適用可能である。
【００１１】
一例として図１に示す調光システム１０は、スマートデバイス１２、第１特定光源１４及び第２特定光源１６を含む。第１特定光源１４及び第２特定光源１６は、何れも青色可視光を含む光を発する光源であり、同室内に設置されている。第１特定光源１４とは、例えば天井に設置された照明器具に備えられているＬＥＤ（light emitting diode）を指す。また、第２特定光源１６とは、例えば直立型（据置き型）や壁掛け型のテレビ受像機に備えられているディスプレイ（例えば液晶ディスプレイ）のバックライトを指す。
【００１２】
スマートデバイス１２は、調光装置１８及び第３特定光源２０を含む。第３特定光源２０とは、青色可視光を含む光を発する光源を指し、例えば、スマートデバイス１２に備えられているディスプレイ（例えば液晶ディスプレイ）のバックライトを指す。
【００１３】
調光装置１８は、紫外線センサ２２、取得部２４、調整部２６、入眠検知部２８、記憶部３０、変更部３２及び検出部３４を含み、第１特定光源１４、第２特定光源１６及び第３特定光源２０から発せられる青色可視光の強度を調整する。なお、以下では、第１特定光源１４、第２特定光源１６及び第３特定光源２０を区別して説明する必要がない場合は、特定光源と称する。
【００１４】
紫外線センサ２２は、一例として図２に示すように、測定対象波長域に紫外線波長域及び紫外線波長域に隣接する青色可視光波長域を有する。図２に示す例では、紫外線波長域として２８０ｎｍ以上３８０ｎｍ未満の波長域が例示され、青色可視光波長域として３８０ｎｍ以上４９５ｎｍ以下の波長域が例示されている。
【００１５】
取得部２４は、紫外線センサ２２により測定される紫外線の強度が基準値未満になる低強度時間帯に、紫外線センサ２２に対して、外部から入射された青色可視光の強度を測定させ、紫外線センサ２２により測定された青色可視光の強度を取得する。
【００１６】
調整部２６は、低強度時間帯に、取得部２４により取得された青色可視光の強度と閾値の比較結果に基づいて、特定光源から発せられる青色可視光の強度を調整する。ここで、青色可視光の強度の調整とは、例えば、低強度時間帯に、取得部２４により取得された青色可視光の強度が閾値以上の場合に、特定光源から発せられる青色可視光の強度を閾値未満に低下させることを意味する。
【００１７】
入眠検知部２８は、低強度時間帯において被検者の入眠を検知する。被検者の入眠は、例えば、スマートデバイス１２に搭載されているマイクロフォンによって測定された被検者の寝息の音の大きさ及びスマートデバイス１２に搭載されている加速度センサによって測定された加速度に基づいて検知される。
【００１８】
記憶部３０は、低強度時間帯において入眠検知部２８により入眠が検知された入眠時刻を日単位で記憶する。
【００１９】
変更部３２は、入眠検知部２８により本日の入眠が検知された入眠時刻と記憶部３０に記憶されている過去の日の入眠時刻との比較結果に基づいて閾値を変更する。ここで、過去の日の入眠時刻とは、例えば前日の入眠時刻を指す。
【００２０】
検出部３４は、紫外線センサ２２の測定面の向きを検出する。調整部２６は、検出部３４により検出された測定面の向きに基づいて定まる測定面対向領域に存在する特定光源から発せられる青色可視光の強度を調整する。ここで、測定面対向領域とは、例えば、紫外線センサ２２の測定面が上向きの場合に紫外線センサ２２の測定面と対向する領域や紫外線センサ２２の測定面が横向きの場合に紫外線センサ２２の測定面と対向する領域を指す。なお、本実施形態では、紫外線センサ２２の測定面が上向きの場合に紫外線センサ２２の測定面と対向する領域に第１特定光源１４が存在している。また、紫外線センサ２２の測定面が横向きの場合に紫外線センサ２２の測定面と対向する領域に第２特定光源１６が存在している。
【００２１】
一例として図３に示すように、スマートデバイス１２は、筐体４０を含む。筐体４０は、タッチパネル・ディスプレイ４２及びマイクロフォン４４を収容している。タッチパネル・ディスプレイ４２は、筐体４０から露出しており、透過型のタッチパネル４２Ａ及びディスプレイ４２Ｂ（例えば液晶ディスプレイや有機ＥＬディスプレイ(Organic Electro-Luminescence Display)）を有する。タッチパネル４２Ａはディスプレイ４２Ｂに重ねられており、指示体（例えばスマートデバイス１２の利用者の指又はタッチペン等）による接触を検知し、タッチパネル４２Ａ上の指示体の接触位置を示す接触位置情報を出力する。ディスプレイ４２Ｂは、各種情報を表示する。
【００２２】
マイクロフォン４４は、スマートデバイス１２の下縁部に備えられている。マイクロフォン４４は、スマートデバイス１２の利用者が発した音声やスマートデバイス１２の外部の音源が発した音などによる音圧を検出し、検出した音圧を信号処理回路（図示省略）で音データ（例えば音圧を示すデジタルデータ）に変換して出力する。
【００２３】
筐体４０は、紫外線センサ２２を収容している。紫外線センサ２２は、スマートデバイス１２の前面の周縁部の特定位置に設けられており、紫外線センサ２２の測定面２２Ａはディスプレイ４２Ｂの表面と略平行に配置されている。ここで、スマートデバイス１２の前面の周縁部の特定位置とは、例えば、ディスプレイ４２Ｂから放射される青色可視光の強度を測定可能な位置（例えばディスプレイ４２Ｂに近接した位置（例えばディスプレイ４２Ｂの縁から１〜３ｍｍ離れた位置））を指す。
【００２４】
一例として図４に示すように、スマートデバイス１２は、コンピュータ５０及び各種の入出力デバイスを含む。取得部２４、調整部２６、入眠検知部２８、変更部３２及び検出部３４は、例えばコンピュータ５０及び各種の入出力デバイスによって実現することができる。
【００２５】
コンピュータ５０は、ＣＰＵ（Central Processing Unit）５２、揮発性のメモリ５４（例えばＲＡＭ（Random Access Memory））及び不揮発性の記憶部５６（例えばＨＤＤ（Hard Disk Drive）やフラッシュメモリなど）を備えている。ＣＰＵ５２、メモリ５４及び記憶部５６は、バス５８を介して相互に接続されている。
【００２６】
記憶部５６は、調光プログラム６０を記憶している。ＣＰＵ５２は、記憶部５６から調光プログラム６０を読み出してメモリ５４に展開し、調光プログラム６０が有するプロセスを順次実行する。調光プログラム６０は、取得プロセス６０Ａ、調整プロセス６０Ｂ、変更プロセス６０Ｄ及び検出プロセス６０Ｅを有する。
【００２７】
ＣＰＵ５２は、取得プロセス６０Ａを実行することで、図１に示す取得部２４として動作する。また、ＣＰＵ５２は、調整プロセス６０Ｂを実行することで、図１に示す調整部２６として動作する。また、ＣＰＵ５２は、変更プロセス６０Ｄを実行することで、図１に示す変更部３２として動作する。更に、ＣＰＵ５２は、検出プロセス６０Ｅを実行することで、図１に示す検出部３４として動作する。
【００２８】
記憶部５６は、入眠検知プログラム６１を記憶している。ＣＰＵ５２は、記憶部５６から入眠検知プログラム６１を読み出してメモリ５４に展開し、入眠検知プログラム６１が有するプロセスを実行する。入眠検知プログラム６１は、入眠検知プロセス６１Ａを有する。ＣＰＵ５２は、入眠検知プロセス６１Ａを実行することで、図１に示す入眠検知部２８として動作する。
【００２９】
なお、ここでは調光プログラム６０及び入眠検知プログラム６１（以下、これらを区別して説明する必要がない場合は「プログラム」という）を記憶部５６から読み出す場合を例示したが、必ずしも最初から記憶部５６に記憶させておく必要はない。例えば、コンピュータ５０に接続されて使用されるＳＳＤ（Solid State Drive）、ＤＶＤディスク、ＩＣカード、光磁気ディスク、ＣＤ−ＲＯＭなどの任意の「可搬型の記憶媒体」に先ずはプログラムを記憶させておいてもよい。そして、コンピュータ５０がこれらの可搬型の記憶媒体からはプログラムを取得して実行するようにしてもよい。また、通信回線を介してコンピュータ５０に接続される他のコンピュータ又はサーバ装置等の記憶部にプログラムを記憶させておいてもよい。この場合、コンピュータ５０は他のコンピュータ又はサーバ装置等からプログラムを取得して実行する。
【００３０】
記憶部５６は、入眠関連情報テーブル６２及び閾値変更テーブル６４を記憶している。一例として図５に示すように、入眠関連情報テーブル６２は、入眠検知時刻及び閾値変更態様情報を記憶している。ここで、入眠検知時刻とは、入眠検知部２８によって入眠が検知された入眠時刻を指し、図５に示す例では、入眠検知時刻として、２２時３０分（開示の技術に係る過去の日の入眠時刻の一例）が例示されている。また、閾値変更態様情報とは、変更部３２による閾値の変更態様を示す情報を指す。閾値の変更態様とは、“閾値を上げた”、“閾値を下げた”、又は、“閾値を変えなかった”の何れかを指す。なお、図５に示す例では、閾値の変更態様として、“閾値を上げた”が例示されている。
【００３１】
一例として図６に示すように、閾値変更テーブル６４は、入眠時刻変化態様情報毎且つ閾値変更態様情報毎に、閾値変更指示情報を記憶している。ここで、入眠時刻変化態様情報とは、入眠時刻の変化態様を示す情報である。入眠時刻の変化態様とは、入眠検知部２８によって入眠が検知された最新の入眠時刻が、入眠関連情報テーブル６２に記憶されている入眠時刻よりも“遅くなった”、“変わらない”、又は、“早くなった”の何れかを指す。閾値変更指示情報とは、閾値の変更指示を示す情報である。閾値の変更指示とは、“閾値を上げる”、“閾値を下げる”、又は、“閾値を変えない”の何れかを指す。
【００３２】
図６に示す例では、“閾値を上げた”及び“入眠時刻が遅くなった”に対し、“閾値を下げる”が対応付けられている。また、“閾値を上げた”及び“入眠時刻が変わらない”に対し、“閾値を変えない”が対応付けられている。更に、“閾値を上げた”及び“入眠時刻が早くなった”に対し、“閾値を変えない”が対応付けられている。
【００３３】
図６に示す例では、“閾値を変えなかった”及び“入眠時刻が遅くなった”に対し、“閾値を下げる”が対応付けられている。また、“閾値を変えなかった”及び“入眠時刻が変わらない”に対し、“閾値を変えない”が対応付けられている。更に、“閾値を変えなかった”及び“入眠時刻が早くなった”に対し、“閾値を上げる”が対応付けられている。
【００３４】
図６に示す例では、“閾値を下げた”及び“入眠時刻が遅くなった”に対し、“閾値を変えない”が対応付けられている。また、“閾値を下げた”及び“入眠時刻が変わらない”に対し、“閾値を変えない”が対応付けられている。更に、“閾値を下げた”及び“入眠時刻が早くなった”に対し、“閾値を上げる”が対応付けられている。
【００３５】
図４に戻って、スマートデバイス１２は、コンピュータ５０と各種の入出力デバイスとを電気的に接続してコンピュータ５０と各種の入出力デバイスとの間の各種情報の送受信を司るインプット・アウトプット・インターフェース（Ｉ／Ｏ）７０を備えている。スマートデバイス１２は、Ｉ／Ｏ７０に接続されることでバス５８を介してコンピュータ５０と電気的に接続される入出力デバイスとして、紫外線センサ２２及びマイクロフォン４４を備えている。また、入出力デバイスとして、受付部７２、表示部７４、リアルタイムクロック（以下、「ＲＴＣ」という）７６、リモートコントローラ（以下、「ＲＣ」という）８０、加速度センサ８２及び外部インタフェース（Ｉ／Ｆ）８４を備えている。
【００３６】
受付部７２は、タッチパネル４２Ａやタッチパネル外に設けられたキー（ハードウェアキー）等を含み、スマートデバイス１２の利用者からの指示を受け付ける。表示部７４は、ディスプレイ４２Ｂ及び表示制御部８６を含む。ディスプレイ４２Ｂは、図１に示す第３特定光源２０の一例として、青色可視光を含む光を発するバックライト４２Ｂ１（例えばＬＥＤ）を備えている。バックライト４２Ｂ１は、ディスプレイ４２Ｂの表示領域（例えば液晶）を背面側から照明する。表示制御部８６は、コンピュータ５０の指示を受けてディスプレイ４２Ｂを制御する。
【００３７】
ＲＴＣ７６は、コンピュータ５０の主電源が切られている間も現在時刻を刻み続ける計時専用の集積回路であり、コンピュータ５０からの要求に応じて現在時刻をコンピュータ５０へ出力する。
【００３８】
ＲＣ８０は、コンピュータ５０の指示を受けて、照明器具８８及びテレビ受像機９０へ遠隔操作用の無線信号（例えば赤外線信号）を発信することで、照明器具８８及びテレビ受像機９０を制御する。
【００３９】
照明器具８８は、室内の天井に設置されており、天井側から室内を照明する。照明器具８８は、第１特定光源１４の一例であるＬＥＤ８８Ａを備えており、ＲＣ８０により発信された無線信号を受信し、受信した無線信号に応じてＬＥＤ８８Ａの発光を制御する。
【００４０】
テレビ受像機９０は、室内の床面に設置されており、略鉛直方向に起立した状態のディスプレイ（ここでは一例として液晶ディスプレイ）９２を備えている。ディスプレイ９２は、バックライト９２Ａを有し、バックライト９２Ａは、ディスプレイ９２の表示領域（例えば液晶）を背面側から照明する。ディスプレイ９２は、ＲＣ８０により発信された無線信号を受信し、受信した無線信号に応じてバックライト９２Ａの発光を制御する。
【００４１】
加速度センサ８２は、スマートデバイス１２の３軸（例えばスマートデバイス１２における３次元空間を規定するＸ軸、Ｙ軸及びＺ軸）の加速度を測定する。そして、コンピュータ５０の要求に応じて、測定した加速度を示す加速度情報をコンピュータ５０へ出力する。従って、コンピュータ５０は、加速度センサ８２から入力された加速度情報に基づいて、スマートデバイス１２の動きの変化やスマートデバイスの傾きを検出することができる。
【００４２】
外部Ｉ／Ｆ８４は、外部装置（例えばパーソナル・コンピュータやＵＳＢメモリ）が接続され、外部装置とコンピュータ５０との間の各種情報の送受信を司る。
【００４３】
次に本実施形態の作用として、ＣＰＵ５２が入眠検知プログラム６１を実行することでスマートデバイス１２によって行われる入眠検知処理について、図７を参照して説明する。
【００４４】
一例として図７に示す入眠検知処理では、先ず、ステップ１００において、入眠検知部２８により、入眠検知開始条件を満足したか否かが判定される。入眠検知開始条件とは、例えば紫外線測定モードから青色可視光測定モードへ移行したとの条件を指す。ここで、紫外線測定モード及び青色可視光測定モードとは、何れもスマートデバイス１２の動作モードを指し、スマートデバイス１２は、紫外線測定モード又は青色可視光測定モードで動作する。紫外線測定モードとは、紫外線センサ２２が紫外線の強度を測定する動作モードであり、青色可視光測定モードとは、紫外線センサ２２が青色可視光の強度を測定する動作モードである。スマートデバイス１２は、一例として表１に示すように、４時から１９時５９分までの時間帯に紫外線測定モードで動作し、２０時から３時５９分までの時間帯（開示の技術に係る低強度時間帯の一例）に青色可視光測定モードで動作する。なお、表示１に示す４時から１９時５９分までの時間帯及び２０時から３時５９分までの時間帯は一例であり、これらの時間帯は、適宜変更可能である。
【００４５】
【表１】
2014203813.tif 000003
ステップ１００において、入眠検知開始条件を満足していない場合は、判定が否定されてステップ１００の判定が再び行われる。ステップ１００において、入眠検知開始条件を満足した場合は、判定が肯定されて、入眠検知処理はステップ１０２へ移行する。
【００４６】
ステップ１０２では、入眠検知部２８により、加速度センサ８２から加速度情報が取得され、入眠検知処理はステップ１０４へ移行する。なお、ステップ１０２で取得される加速度情報は、スマートデバイス１２におけるＸ軸、Ｙ軸及びＺ軸の各軸の重力加速度以外の加速度を示す加速度情報である。
【００４７】
ステップ１０４では、入眠検知部２８により、ステップ１０２で取得された加速度情報により示される加速度（ここでは一例としてＸ軸、Ｙ軸及びＺ軸の各軸の加速度）が第１所定値以下か否かが判定される。第１所定値として“０”を採用しているが、これに限らず、例えば人間が歩行している際に加速度センサ８２によって測定される一般的な加速度であってもよいし、ユーザが設定した値であってもよい。
【００４８】
ステップ１０４において、ステップ１０２で取得された加速度情報により示される加速度が第１所定値を超えた場合（スマートデバイス１２が移動している場合）は、判定が否定されて、入眠検知処理はステップ１０５へ移行する。ステップ１０４において、ステップ１０２で取得された加速度情報により示される加速度が第１所定値以下の場合は、判定が肯定されて、入眠検知処理はステップ１０６へ移行する。
【００４９】
ステップ１０５では、入眠検知部２８により、入眠検知終了条件を満足したか否かが判定される。入眠検知終了条件とは、例えば青色可視光測定モードから紫外線測定モードへ移行したとの条件を指す。ステップ１０５において、入眠検知終了条件を満足していない場合は、判定が否定されてステップ１０２へ移行する。ステップ１０５において、入眠検知終了条件を満足した場合は、判定が肯定されて、入眠検知処理が終了する。
【００５０】
ステップ１０６では、入眠検知部２８により、マイクロフォン４４から音データが取得され、入眠検知処理はステップ１０８へ移行する。
【００５１】
ステップ１０８では、入眠検知部２８により、ステップ１０６で取得された音データにより示される音圧が第２所定値以下か否かを判定する。第２所定値とは、例えば人間の寝息により発せされる一般的な音圧を指す。ステップ１０８において、ステップ１０６で取得された音データにより示される音圧が第２所定値を超えた場合は、判定が否定されて、入眠検知処理はステップ１０５へ移行する。ステップ１０８において、ステップ１０６で取得された音データにより示される音圧が第２所定値以下の場合は、判定が肯定されて、入眠検知処理はステップ１１０へ移行する。
【００５２】
ステップ１１０では、入眠検知部２８により、ステップ１０６の処理が行われてから所定時間（例えば１分）が経過したか否かが判定される。ステップ１１０において、ステップ１０６の処理が行われてから所定時間が経過していない場合は、判定が否定されて、入眠検知処理はステップ１０６へ移行する。ステップ１１０において、ステップ１０６の処理が行われてから所定時間が経過した場合は、判定が肯定されて、入眠検知処理はステップ１１２へ移行する。
【００５３】
ステップ１１２では、入眠検知部２８により、ＲＴＣ７６から現在時刻（開示の技術に係る本日の入眠時刻の一例）が取得され、その後、入眠検知処理はステップ１１４へ移行する。
【００５４】
ステップ１１４では、入眠検知部２８により、入眠検知終了条件を満足したか否かが判定される。ステップ１１４において、入眠検知終了条件を満足していない場合は、判定が否定されて、ステップ１１４の判定が再び行われる。ステップ１１４において、入眠検知終了条件を満足した場合は、判定が肯定されて、入眠検知処理はステップ１１６へ移行する。
【００５５】
ステップ１１６では、入眠検知部２８により、ステップ１１２で取得された現在時刻が入眠関連情報テーブル６２に入眠検知時刻として記憶（上書き保存）され、入眠検知処理が終了する。
【００５６】
次に、調光処理開始条件を満足した場合にＣＰＵ５２が調光プログラム６０を実行することでスマートデバイス１２によって行われる調光処理について、図８を参照して説明する。なお、調光処理開始条件としては、例えば、調光処理の開始指示がタッチパネル・ディスプレイ４２によって受け付けられたとの条件や調光処理を終了した（後述のステップ２３０の処理が終了した）との条件などが挙げられる。
【００５７】
一例として図８に示す調光処理では、先ず、ステップ２００において、取得部２４により、ＲＴＣ７６から現在時刻が取得され、取得された現在時刻が低強度時間帯に含まれているか否かが判定される。なお、ここでは、低強度時間帯の一例として、表１に示す２０時から３時５９分までの時間帯を採用している。ステップ２００において、現在時刻が低強度時間帯に含まれていない場合（例えば４時から１９時５９分までの時間帯の場合）は、判定が否定されて、調光処理はステップ２０２へ移行する。ステップ２００において、現在時刻が低強度時間帯に含まれている場合は、判定が肯定されて、調光処理はステップ２０４へ移行する。
【００５８】
ステップ２０２では、取得部２４により、スマートデバイス１２の現在の動作モードが青色可視光測定モードか否かが判定される。ステップ２０２において、スマートデバイス１２の現在の動作モードが青色可視光測定モードでない場合（スマートデバイス１２の現在の動作モードが紫外線測定モードの場合）は、判定が否定されて、調光処理はステップ２００へ移行する。ステップ２０２において、スマートデバイス１２の現在の動作モードが青色可視光測定モードの場合は、判定が肯定されて、調光処理はステップ２０６へ移行する。
【００５９】
ステップ２０６では、取得部２４により、青色可視光測定モードから紫外線測定モードへ移行され、調光処理はステップ２００へ移行する。
【００６０】
ステップ２０４では、取得部２４により、スマートデバイス１２の現在の動作モードが紫外線測定モードか否かが判定される。ステップ２０４において、スマートデバイス１２の現在の動作モードが紫外線測定モードの場合は、判定が肯定されて、調光処理はステップ２０８へ移行する。ステップ２０４において、スマートデバイス１２の現在の動作モードが紫外線測定モードでない場合（スマートデバイス１２の現在の動作モードが青色可視光測定モードの場合）は、判定が否定されて、調光処理はステップ２１０へ移行する。
【００６１】
ステップ２０８では、取得部２４により、紫外線測定モードからへ青色可視光測定モード移行され、調光処理はステップ２１０へ移行する。
【００６２】
ステップ２１０では、取得部２４により、紫外線センサ２２に対して青色可視光の強度を測定させ、紫外線センサ２２により測定された青色可視光の強度が取得され、調光処理はステップ２１２へ移行する。
【００６３】
ステップ２１２では、取得部２４により、ステップ２１０で取得された青色可視光の強度が閾値以上か否かが判定される。ステップ２１２において、ステップ２１０で取得された青色可視光の強度が閾値未満の場合は、判定が否定されて、調光処理はステップ２００へ移行する。ステップ２１２において、ステップ２１０で取得された青色可視光の強度が閾値以上の場合は、判定が肯定されて、調光処理はステップ２１４へ移行する。
【００６４】
ステップ２１４では、検出部３４により、加速度センサ８２から加速度情報が取得され、調光処理はステップ２１６へ移行する。なお、ステップ２１４で取得される加速度情報は、スマートデバイス１２におけるＸ軸、Ｙ軸及びＺ軸の各軸の重力加速度を示す加速度情報である。
【００６５】
ステップ２１６では、検出部３４により、ステップ２１４で取得された加速度情報に基づいて、紫外線センサ２２の測定面２２Ａが上向きか否かが判定される。ここで、上向きとは、例えば、図１０に示す鉛直方向における上向きを含む方向（例えば鉛直方向を０°の方向として測定面２２Ａの中心を原点とした場合の±４５°の範囲内の方向）を指す。ステップ２１６において、紫外線センサ２２の測定面２２Ａが上向きでない場合は、判定が否定されて、調光処理はステップ２１８へ移行する。ステップ２１６において、紫外線センサ２２の測定面２２Ａが上向きの場合は、判定が肯定されて、調光処理はステップ２２０へ移行する。
【００６６】
ステップ２１８では、検出部３４により、ステップ２１４で取得された加速度情報に基づいて、紫外線センサ２２の測定面２２Ａが横向きか否かが判定される。ここで、横向きとは、一例として図１１に示すように、スマートデバイス１２を鉛直方向に起立させた状態の測定面２２Ａの向きを含む方向（例えば水平方向を０°の方向として測定面２２Ａの中心を原点とした場合の±４５°の範囲内の方向）を指す。ステップ２１８において、紫外線センサ２２の測定面２２Ａが横向きの場合は、判定が肯定されて、調光処理はステップ２２２へ移行する。ステップ２１８において、紫外線センサ２２の測定面２２Ａが横向きでない場合は、判定が否定されて、調光処理はステップ２２４へ移行する。
【００６７】
ステップ２２０では、調整部２６により、紫外線センサ２２により測定される青色可視光の強度が閾値未満となるように、照明器具８８及びタッチパネル・ディスプレイ４２のディスプレイ４２Ｂから発せられる青色可視光の強度を低下させる。なお、照明器具８８から発せられる青色可視光の強度の低下は、調整部２６がＲＣ８０を介した無線通信により照明器具８８に対して青色可視光の強度の低下を指示することで実現される。タッチパネル・ディスプレイ４２のディスプレイ４２Ｂから発せられる青色可視光の強度の低下は、調整部２６が表示制御部８６を介してバックライト４２Ｂ１を制御することにより実現される。また、本実施形態では、調整部２６により低下させられる青色可視光の強度の低下量として、例えば閾値及び紫外線センサ２２により測定された青色可視光の強度（例えばステップ２１０で取得された青色可視光の強度）に応じて定められた低下量を採用している。
【００６８】
ステップ２２２では、調整部２６により、紫外線センサ２２により測定される青色可視光の強度が閾値未満となるように、ディスプレイ４２Ｂ及びテレビ受像機９０のディスプレイ９２から発せられる青色可視光の強度を低下させる。なお、テレビ受像機９０のディスプレイ９２から発せられる青色可視光の強度の低下は、調整部２６がＲＣ８０を介した無線通信によりテレビ受像機９０に対して青色可視光の強度の低下を指示することで実現される。
【００６９】
ステップ２２４では、調整部２６により、紫外線センサ２２により測定される青色可視光の強度が閾値未満となるように、タッチパネル・ディスプレイ４２のディスプレイ４２Ｂから発せられる青色可視光の強度を低下させる。
【００７０】
次のステップ２２６では、入眠検知部２８により、被検者の入眠が検知されたか否かが判定される。ここで、被検者の入眠が検知されたとは、例えば、ステップ１１０において判定が肯定されたこと（又はステップ１１２で入眠時刻が取得されたこと）を指す。ステップ２２６において、被検者の入眠が検知されていない場合は、判定が否定されて、ステップ２２８へ移行する。ステップ２２６において、被検者の入眠が検知された場合は、判定が肯定されて、ステップ３３０へ移行する。
【００７１】
ステップ２２８では、変更部３２により、取得部２４により、ＲＴＣ７６から現在時刻が取得され、取得された現在時刻が低強度時間帯に含まれているか否かが判定される。ステップ２２８において、現在時刻が低強度時間帯に含まれていない場合は、判定が否定されて、調光処理はステップ２０６へ移行する。ステップ２２８において、現在時刻が低強度時間帯に含まれている場合は、判定が肯定されて、調光処理はステップ２２６へ移行する。
【００７２】
ステップ２３０では、変更部３２により、一例として図９に示す閾値変更処理が行われ、その後、調光処理が終了する。
【００７３】
図９に示す閾値変更処理では、先ず、ステップ２３２Ａにおいて、変更部３２により、入眠関連情報テーブル６２に基づいて、前日に閾値が上げられたか否かが判定される。すなわち、変更部３２は、入眠関連情報テーブル６２に記憶されている閾値変更態様情報により示される閾値の変化態様が“閾値を上げた”であれば、前日に閾値に上げられたと判定する。また、変更部３２は、閾値の変化態様が“閾値を上げた”以外であれば、前日に閾値が上げられていないと判定する。
【００７４】
ステップ２３２Ａにおいて、前日に閾値が上げられた場合は、判定が肯定されて、閾値変更処理はステップ２３２Ｂへ移行する。ステップ２３２Ａにおいて、前日に閾値が上げられていない場合は、判定が否定されて、閾値変更処理はステップ２３２Ｅへ移行する。
【００７５】
ステップ２３２Ｂでは、変更部３２により、入眠関連情報テーブル６２から入眠検知時刻が取得されることで前日の入眠時刻が取得され、その後、閾値変更処理はステップ２３２Ｃへ移行する。
【００７６】
ステップ２３２Ｃでは、変更部３２により、入眠検知処理におけるステップ１１２で取得された入眠時刻が、ステップ２３２Ｂで取得された入眠検知時刻よりも遅いか否かが判定される。ステップ２３２Ｃにおいて、入眠検知処理におけるステップ１１２で取得された入眠時刻が、ステップ２３２Ｂで取得された入眠検知時刻よりも遅くない場合は、判定が否定されて、閾値変更処理が終了する。ステップ２３２Ｃにおいて、入眠検知処理におけるステップ１１２で取得された入眠時刻が、ステップ２３２Ｂで取得された入眠検知時刻よりも遅い場合は、判定が肯定されて、閾値変更処理はステップ２３２Ｄへ移行する。
【００７７】
ステップ２３２Ｄでは、変更部３２により、閾値変更テーブル６４に従って閾値が下げられ、その後、閾値変更処理が終了する。なお、ステップ２３２Ｄにおいて、閾値の下げ量は、デフォルトで定められた下げ量であってもよいし、ユーザによって事前に指定された下げ量であってもよい。
【００７８】
ステップ２３２Ｅでは、変更部３２により、入眠関連情報テーブル６２に基づいて、前日に閾値が下げられたか否かが判定される。すなわち、変更部３２は、入眠関連情報テーブル６２に記憶されている閾値変更態様情報により示される閾値の変化態様が“閾値を下げた”であれば、前日に閾値が下げられたと判定する。また、変更部３２は、閾値の変化態様が“閾値を下げた”以外であれば、前日に閾値が変えられなかったと判定する。
【００７９】
ステップ２３２Ｅにおいて、前日に閾値が下げられた場合は、判定が肯定されて、閾値変更処理はステップ２３２Ｆへ移行する。ステップ２３２Ｅにおいて、前日に閾値が下げられていない場合（前日に閾値が変えられなかった）は、判定が否定されて、閾値変更処理はステップ２３２Ｉへ移行する。
【００８０】
ステップ２３２Ｆでは、変更部３２により、入眠関連情報テーブル６２から入眠検知時刻が取得されることで前日の入眠時刻が取得され、その後、閾値変更処理はステップ２３２Ｇへ移行する。
【００８１】
ステップ２３２Ｇでは、変更部３２により、入眠検知処理におけるステップ１１２で取得された入眠時刻が、ステップ２３２Ｆで取得された入眠検知時刻よりも早いか否かが判定される。ステップ２３２Ｇにおいて、入眠検知処理におけるステップ１１２で取得された入眠時刻が、ステップ２３２Ｆで取得された入眠検知時刻よりも早くない場合は、判定が否定されて、閾値変更処理が終了する。ステップ２３２Ｇにおいて、入眠検知処理におけるステップ１１２で取得された入眠時刻が、ステップ２３２Ｆで取得された入眠検知時刻よりも早い場合は、判定が肯定されて、閾値変更処理はステップ２３２Ｈへ移行する。
【００８２】
ステップ２３２Ｈでは、変更部３２により、閾値変更テーブル６４に従って閾値が上げられ、その後、閾値変更処理が終了する。なお、ステップ２３２Ｈにおいて、閾値の上げ量は、デフォルトで定められた上げ量であってもよいし、ユーザによって事前に指定された上げ量であってもよい。
【００８３】
ステップ２３２Ｉでは、変更部３２により、入眠関連情報テーブル６２から入眠検知時刻が取得されることで前日の入眠時刻が取得され、その後、閾値変更処理はステップ２３２Ｊへ移行する。
【００８４】
ステップ２３２Ｊでは、変更部３２により、入眠検知処理におけるステップ１１２で取得された入眠時刻が、ステップ２３２Ｉで取得された入眠検知時刻よりも早いか否かが判定される。ステップ２３２Ｊにおいて、入眠検知処理におけるステップ１１２で取得された入眠時刻が、ステップ２３２Ｉで取得された入眠検知時刻よりも早くない場合は、判定が否定されて、閾値変更処理はステップ２３２Ｌへ移行する。ステップ２３２Ｊにおいて、入眠検知処理におけるステップ１１２で取得された入眠時刻が、ステップ２３２Ｉで取得された入眠検知時刻よりも早い場合は、判定が肯定されて、閾値変更処理はステップ２３２Ｋへ移行する。
【００８５】
ステップ２３２Ｋでは、変更部３２により、閾値変更テーブル６４に従って閾値が上げられ、その後、閾値変更処理が終了する。なお、ステップ２３２Ｋにおいて、閾値の上げ量は、デフォルトで定められた上げ量であってもよいし、ユーザによって事前に指定された上げ量であってもよい。
【００８６】
ステップ２３２Ｌでは、変更部３２により、入眠検知処理におけるステップ１１２で取得された入眠時刻が、ステップ２３２Ｉで取得された入眠検知時刻よりも遅いか否かが判定される。ステップ２３２Ｌにおいて、入眠検知処理におけるステップ１１２で取得された入眠時刻が、ステップ２３２Ｉで取得された入眠検知時刻よりも遅くない場合は、判定が否定されて、閾値変更処理が終了する。ステップ２３２Ｌにおいて、入眠検知処理におけるステップ１１２で取得された入眠時刻が、ステップ２３２Ｉで取得された入眠検知時刻よりも遅い場合は、判定が肯定されて、閾値変更処理はステップ２３２Ｍへ移行する。
【００８７】
ステップ２３２Ｍでは、変更部３２により、閾値変更テーブル６４に従って閾値が下げられ、閾値変更処理が終了する。なお、ステップ２３２Ｍにおいて、閾値の下げ量は、デフォルトで定められた下げ量であってもよいし、ユーザによって事前に指定された下げ量であってもよい。
【００８８】
以上説明したように、調光システム１０において、取得部２４は、紫外線センサ２２の測定対象波長域に青色可視光波長域が含まれることを利用して、紫外線の強度が基準値未満になる時間帯に、紫外線センサ２２に対して青色可視光の強度を測定させる。そのため、青色可視光の強度を測定する専用測定器を別途準備する必要がない。また、紫外線センサ２２によって測定された青色可視光の強度は取得部２４により取得され、調整部２６により、取得部２４で取得された青色可視光の強度と閾値との比較結果に基づいて、青色可視光の強度が調整される。そのため、青色可視光の強度と閾値とを比較することなく青色可視光の強度を調整する場合と比較して、青色可視光の強度を状況に適合した強度に調整することできる。従って、調光システム１０は、青色可視光の強度を状況に適合した強度に調整することを簡易な構成で実現することができる。なお、状況に適合した強度とは、例えば、上記表１における２０時から３時５９分の時間帯における利用者の生活態様（例えば就寝に至るまでの残り時間）を考慮した青色可視光の強度（例えば利用者の速やかな入眠の妨げにならない程度の強度）を指す。
【００８９】
また、調光システム１０では、調整部２６が、紫外線の強度が基準値未満になる時間帯に、取得部２４で取得された青色可視光の強度が閾値以上の場合に、青色可視光の強度を閾値未満に低下させる。従って、調光システム１０は、青色可視光を視認することにより入眠が妨げられることを抑制することができる。
【００９０】
また、調光システム１０では、変更部３２により、入眠検知部２８により本日の入眠が検知された入眠時刻と入眠関連情報テーブル６２に記憶されている入眠検知時刻との比較結果に基づいて閾値が変更される。従って、調光システム１０は、青色可視光の強度を、入眠が検知される利用者の日々の入眠時刻に適合した強度に調整することができる。
【００９１】
また、調光システム１０では、変更部３２により、前日に閾値が変更された場合に、前日の閾値の変更量、及び、本日の入眠時刻と前日の入眠時刻との比較結果に基づいて、閾値が変更される。従って、調光システム１０は、前日の青色可視光の強度の調整に起因する特定光源の色合いの悪化及び入眠の妨げを抑制することができる。
【００９２】
また、調光システム１０では、変更部３２により、前日に閾値が上げられ、且つ、本日の入眠時刻が前日の入眠時刻よりも遅い場合に、閾値が下げられる。従って、調光システム１０は、前日に青色可視光の強度が上げられたことに起因して入眠が妨げられることを抑制することができる。
【００９３】
また、調光システム１０では、変更部３２により、前日に閾値が下げられ、且つ、本日の入眠時刻が前日の入眠時刻よりも早い場合に、閾値が上げられる。従って、調光システム１０は、前日に青色可視光の強度が下げられたことに起因して特定光源の色合いが悪化することを抑制することができる。
【００９４】
また、調光システム１０では、変更部３２により、前日に閾値が変えられず、且つ、本日の入眠時刻が前日の入眠時刻よりも遅い場合に、閾値が下げられる。従って、調光システム１０は、青色可視光を視認することによって入眠が妨げられることをより一層抑制することができる。
【００９５】
また、調光システム１０では、変更部３２により、前日に閾値が変えられず、且つ、本日の入眠時刻が前日の入眠時刻よりも早い場合に、閾値が上げられる。従って、調光システム１０は、特定光源の色合いを確保することができる。
【００９６】
また、調光システム１０では、調整部２６により、測定面２２Ａが上向きの場合にＬＥＤ８８Ａから発せられる青色可視光の強度が調整され、測定面２２Ａが横向きの場合にバックライト９２Ａから発せられる青色可視光の強度が調整される。従って、調光システム１０は、紫外線センサ２２により測定される青色可視光の強度を簡易に調整することができる。
【００９７】
なお、上記実施形態では、開示の技術に係る過去の日の入眠時刻の一例として前日の入眠時刻を例示したが、開示の技術はこれに限定されるものではなく、数日前の入眠時刻や過去の数日間の平均入眠時刻を用いてもよい。
【００９８】
また、上記実施形態では、閾値変更テーブル６４における“閾値を上げた”及び“入眠時刻が早くなった”に対し、“閾値を変えない”が対応付けられているが、開示の技術はこれに限定されるものではない。例えば、閾値変更テーブル６４における“閾値を上げた”及び“入眠時刻が早くなった”に対し、“閾値を上げる”が対応付けられてもよい。
【００９９】
また、上記実施形態では、閾値変更テーブル６４における“閾値を下げた”及び“入眠時刻が遅くなった”に対し、“閾値を変えない”が対応付けられているが、開示の技術はこれに限定されるものではない。例えば、閾値変更テーブル６４における“閾値を下げた”及び“入眠時刻が遅くなった”に対し、“閾値を下げる”が対応付けられてもよい。
【０１００】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【０１０１】
以上の実施形態に関し、更に以下の付記を開示する。
【０１０２】
（付記１）
紫外線波長域及び前記紫外線波長域に隣接する青色可視光波長域に感度を有する紫外線センサと、前記紫外線センサに入射される紫外線の強度が基準値未満になる低強度時間帯に、前記紫外線センサにより測定された青色可視光の強度を取得する取得部と、前記低強度時間帯に、前記取得部により取得された青色可視光の強度と閾値との比較結果に基づいて、前記紫外線センサに入射される青色可視光を発する特定光源から発せられる青色可視光の強度を調整する調整部と、を含む調光装置。
【０１０３】
（付記２）
前記調整部は、前記低強度時間帯に、前記取得部により取得された青色可視光の強度が前記閾値以上の場合に、前記特定光源から発せられる前記青色可視光の強度を前記閾値未満に低下させる付記１に記載の調光装置。
【０１０４】
（付記３）
前記低強度時間帯において被検者の入眠を検知する入眠検知部と、前記低強度時間帯において前記入眠検知部により入眠が検知された入眠時刻を日単位で記憶する記憶部と、前記入眠検知部により本日の入眠が検知された入眠時刻と前記記憶部に記憶されている過去の日の入眠時刻との比較結果に基づいて前記閾値を変更する変更部と、を更に含む付記２に記載の調光装置。
【０１０５】
（付記４）
前記変更部は、過去の特定日に前記閾値を変更した場合に、前記過去の特定日の前記閾値の変更量、及び、前記入眠検知部により本日の入眠が検知された入眠時刻と前記記憶部に記憶されている前記過去の特定日の入眠時刻との比較結果に基づいて前記閾値を変更する付記３に記載の調光装置。
【０１０６】
（付記５）
前記変更部は、前記過去の特定日に前記閾値を上げ、且つ、前記入眠検知部により本日の入眠が検知された入眠時刻が前記記憶部に記憶されている前記過去の特定日の入眠時刻よりも遅い場合に、前記閾値を下げる付記４に記載の調光装置。
【０１０７】
（付記６）
前記変更部は、前記過去の特定日に前記閾値を上げ、且つ、前記入眠検知部により本日の入眠が検知された入眠時刻が前記記憶部に記憶されている前記過去の特定日の入眠時刻よりも早い場合に、前記閾値を変えない付記４又は付記５に記載の調光装置。
【０１０８】
（付記７）
前記変更部は、前記過去の特定日に前記閾値を上げ、且つ、前記入眠検知部により本日の入眠が検知された入眠時刻が前記記憶部に記憶されている前記過去の特定日の入眠時刻よりも早い場合に、前記閾値を上げる付記４又は付記５に記載の調光装置。
【０１０９】
（付記８）
前記変更部は、前記過去の特定日に前記閾値を下げ、且つ、前記入眠検知部により本日の入眠が検知された入眠時刻が前記記憶部に記憶されている前記過去の特定日の入眠時刻よりも早い場合に、前記閾値を上げる付記４から付記７の何れか１つに記載の調光装置。
【０１１０】
（付記９）
前記変更部は、前記過去の特定日に前記閾値を下げ、且つ、前記入眠検知部により本日の入眠が検知された入眠時刻が前記記憶部に記憶されている前記過去の特定日の入眠時刻よりも遅い場合に、前記閾値を変えない付記４から付記８の何れか１つに記載の調光装置。
【０１１１】
（付記１０）
前記変更部は、前記過去の特定日に前記閾値を下げ、且つ、前記入眠検知部により本日の入眠が検知された入眠時刻が前記記憶部に記憶されている前記過去の特定日の入眠時刻よりも遅い場合に、前記閾値を下げる付記４から付記８の何れか１つに記載の調光装置。
【０１１２】
（付記１１）
前記変更部は、前記過去の特定日に前記閾値を変えず、且つ、前記入眠検知部により本日の入眠が検知された入眠時刻が前記記憶部に記憶されている前記過去の特定日の入眠時刻よりも遅い場合に、前記閾値を下げる付記４から付記１０の何れか１つに記載の調光装置。
【０１１３】
（付記１２）
前記変更部は、前記過去の特定日に前記閾値を変えず、且つ、前記入眠検知部により本日の入眠が検知された入眠時刻が前記記憶部に記憶されている前記過去の特定日の入眠時刻よりも早い場合に、前記閾値を上げる付記４から付記１１の何れか１つに記載の調光装置。
【０１１４】
（付記１３）
前記紫外線センサの測定面の向きを検出する検出部を更に含み、前記特定光源は、前記検出部により検出された前記測定面の向きに基づいて定まる測定面対向領域に存在する光源のうち青色可視光を発する予め定められた光源を有する付記１から付記１２の何れか１つに記載の調光装置。
【０１１５】
（付記１４）
前記特定光源は、前記測定面が上向きの場合に前記測定面と対向する領域に設置された第１特定光源と、前記測定面が横向きの場合に前記測定面と対向する領域に設置された第２特定光源と、を有し、前記調整部は、前記低強度時間帯に、前記取得部により取得された青色可視光の強度と閾値との比較結果に基づいて、前記検出部により上向きが検出された場合に前記第１特定光源から発せられる青色可視光の強度を調整し、前記検出部により横向きが検出された場合に前記第２特定光源から発せられる青色可視光の強度を調整する付記１３に記載の調光装置。
【０１１６】
（付記１５）
前記第１特定光源は、前記紫外線センサの上方に設置された照明器具に含まれる光源であり、前記第２特定光源は、前記紫外線センサの側方に設置されたテレビ受像機に備えられたディスプレイに含まれる光源である付記１４に記載の調光装置。
【０１１７】
（付記１６）
付記１から付記１５の何れか１項に記載の調光装置と、前記調整部により強度が調整される青色可視光を発する特定光源と、を含む端末装置。
【０１１８】
（付記１７）
付記１から付記１５の何れか１項に記載の調光装置と、前記調整部により強度が調整される青色可視光を発する特定光源と、を含む調光システム。
【０１１９】
（付記１８）
紫外線波長域及び前記紫外線波長域に隣接する青色可視光波長域に感度を有する紫外線センサに入射される紫外線の強度が基準値未満になる低強度時間帯に、前記紫外線センサにより測定された青色可視光の強度を取得し、前記低強度時間帯に、取得した青色可視光の強度と閾値との比較結果に基づいて、前記紫外線センサに入射される青色可視光を発する特定光源から発せられる青色可視光の強度を調整することを含む調光方法。
【０１２０】
（付記１９）
コンピュータに、紫外線波長域及び前記紫外線波長域に隣接する青色可視光波長域に感度を有する紫外線センサに入射される紫外線の強度が基準値未満になる低強度時間帯に、前記紫外線センサにより測定された青色可視光の強度を取得し、前記低強度時間帯に、取得した青色可視光の強度と閾値との比較結果に基づいて、前記紫外線センサに入射される青色可視光を発する特定光源から発せられる青色可視光の強度を調整することを含む処理を実行させるための調光プログラム。
【符号の説明】
【０１２１】
１０  調光システム
１２  スマートデバイス
１４  第１特定光源
１６  第２特定光源
１８  調光装置
２０  第３特定光源
２２  紫外線センサ
２４  取得部
２６  調整部
２８  入眠検知部
３０  記憶部
３２  変更部
３４  検出部
【図１】
2014203813.tif 000004
【図２】
2014203813.tif 000005
【図３】
2014203813.tif 000006
【図４】
2014203813.tif 000007
【図５】
2014203813.tif 000008
【図６】
2014203813.tif 000009
【図７】
2014203813.tif 000010
【図８】
2014203813.tif 000011
【図９】
2014203813.tif 000012
【図１０】
2014203813.tif 000013
【図１１】
2014203813.tif 000014